(57)【要約】【課題】  対象色彩信号に対応するより正確な複数のデバイス信号を、より迅速に取得することが可能な色変換装置等を提供する。【解決手段】  色彩信号を再現可能な色信号に変換するための色変換装置であって、色彩信号のうち、色変換の対象となる対象色彩信号から、当該対象色彩信号を再現可能な複数の対応色信号を取得する前記色変換装置において、色信号を構成する複数の色要素に含まれる基準要素の所定の要素値を基準要素値として決定する手段と、基準要素値と等しい値を有する基準要素を含む少なくとも１以上の色信号を抽出する手段と、抽出された色信号を再現可能な色彩信号であって対象色彩信号との色差が最小となる色彩信号によって再現可能な色信号を、対応色信号に含まれる基準対応色信号として取得し、且つ当該基準対応色信号に基づいて、残りの対応色信号を取得する手段と、を有する。【選択図】  図１
2006109156.tif 000002
【特許請求の範囲】
【請求項１】
色彩信号を再現可能な色信号に変換するための色変換装置であって、前記色彩信号のうち、色変換の対象となる対象色彩信号から、当該対象色彩信号を再現可能な複数の対応色信号を取得する前記色変換装置において、
前記色信号を構成する複数の色要素に含まれる基準要素の所定の要素値を基準要素値として決定する基準要素値決定手段と、
前記基準要素値と等しい要素値を有する前記基準要素を含む少なくとも１以上の前記色信号を抽出する第１の抽出手段と、
前記第１の抽出手段によって抽出された前記色信号を再現可能な前記色彩信号であって前記対象色彩信号との色差が最小となる前記色彩信号によって再現可能な前記色信号を、前記対応色信号に含まれる基準対応色信号として取得し、且つ、当該基準対応色信号に基づいて、残りの前記対応色信号を取得する対応色信号取得手段と、
を有することを特徴とする色変換装置。
【請求項２】
請求項１に記載の色変換装置において、
前記対応色信号取得手段は、
前記基準対応色信号を構成する前記色要素であって、前記基準要素以外の他の前記色要素の要素値との差が所定閾値内となる要素値を有する前記他の色要素を含む色信号を、近傍色信号として取得する近傍色信号取得手段と、
前記近傍色信号のうち、前記基準要素値とは異なる１の前記要素値と等しい要素値を有する前記基準要素を含む少なくとも１以上の前記近傍色信号を抽出する第２の抽出手段と、を有し、
前記第２の抽出手段によって抽出された前記近傍色信号であって、前記対象色彩信号との色差が最小となる色彩信号に対応する前記近傍色信号を、１の前記対応色信号として取得することを特徴とする色変換装置。
【請求項３】
請求項２に記載の色変換装置において、
前記近傍色信号取得手段は、前記１の対応色信号を構成する前記色要素であって、前記基準要素以外の前記他の色要素の要素値との差が前記所定閾値内となる要素値を有する前記色要素を含む色信号を、前記近傍色信号として取得し、
前記第２の抽出手段は、前記近傍色信号のうち、前記基準要素値及び前記１の要素値とは異なる他の前記要素値と等しい要素値を有する前記基準要素を含む前記近傍色信号を抽出し、かつ、
前記対応色信号取得手段は、当該第２の抽出手段によって抽出された前記近傍色信号であって、前記対象色彩信号との色差が最小となる色彩信号に対応する前記近傍色信号を、他の前記対応色信号として取得することを特徴とする色変換装置。
【請求項４】
請求項１乃至請求項３のいずれか一項に記載の色変換装置において、
前記色信号は、シアン、マゼンタ、イエロー、ブラックを前記色要素とするＣＭＹＫ色空間における座標値であることを特徴とする色変換装置。
【請求項５】
請求項４に記載の色変換装置において、
前記基準要素は、ブラックであることを特徴とする色変換装置。
【請求項６】
請求項１乃至請求項５のいずれか一項に記載の色変換装置において、
前記色彩信号は、ＣＩＥＬａｂ空間における座標値であることを特徴とする色変換装置。
【請求項７】
請求項１乃至請求項５のいずれか一項に記載の色変換装置において、
前記色彩信号は、ＣＩＥＸＹＺ空間における座標値であることを特徴とする色変換装置。
【請求項８】
請求項１乃至請求項５のいずれか一項に記載の色変換装置において、
前記色彩信号は、ＲＧＢ空間における座標値であることを特徴とする色変換装置。
【請求項９】
請求項３乃至請求項８のいずれか一項に記載の色変換装置において、
前記１の要素値は、前記基準要素値に所定値を加算して取得され、且つ、前記他の要素値は、前記１の要素値に前記所定値を加算して取得されることを特徴とする色変換装置。
【請求項１０】
請求項３乃至請求項８のいずれか一項に記載の色変換装置において、
前記１の要素値は、前記基準要素値から前記所定値を減算して取得され、且つ、前記他の要素値は、前記１の要素値から前記所定値を減算して取得されることを特徴とする色変換装置。
【請求項１１】
請求項２乃至請求項１０のいずれか一項に記載の色変換装置において、
前記色信号と、当該色信号を再現可能な前記色彩信号と、をそれぞれ対応付けて記憶する記憶手段を有し、
前記第１の抽出手段は、前記記憶手段に記憶された色信号から、前記基準要素値と等しい要素値を有する前記基準要素を含む少なくとも１以上の前記色信号を抽出し、
前記近傍色信号取得手段は、前記記憶手段に記憶された色信号から、前記近傍色信号を取得すると共に、前記記憶手段に記憶された色信号に、前記他の色要素の要素値との差が所定閾値内となる前記要素値を有する前記色要素を含む前記色信号が無い場合には、前記所定閾値を変更し、前記他の色要素の要素値との差が変更後の所定閾値内となる前記要素値を有する前記色要素を含む前記色信号を、前記記憶手段に記憶された色信号から前記近傍色信号として取得することを特徴とする色変換装置。
【請求項１２】
色彩信号を再現可能な色信号に変換するための色変換装置であって、前記色彩信号のうち、色変換の対象となる対象色彩信号から、当該対象色彩信号を再現可能な複数の対応色信号を取得する前記色変換装置に含まれるコンピュータを、
前記色信号を構成する複数の色要素に含まれる基準要素の所定の要素値を基準要素値として決定する基準要素値決定手段、
前記基準要素値と等しい要素値を有する前記基準要素を含む少なくとも１以上の前記色信号を抽出する第１の抽出手段及び
前記第１の抽出手段によって抽出された前記色信号を再現可能な前記色彩信号であって前記対象色彩信号との色差が最小となる前記色彩信号によって再現可能な前記色信号を、前記対応色信号に含まれる基準対応色信号として取得し、且つ、当該基準対応色信号に基づいて、残りの前記対応色信号を取得する対応色信号取得手段として機能させることを特徴とする色変換プログラム。
【請求項１３】
請求項１２に記載の色変換プログラムにおいて、
前記対応色信号取得手段を、
前記基準対応色信号を構成する前記色要素であって、前記基準要素以外の他の前記色要素の要素値との差が所定閾値内となる要素値を有する前記他の色要素を含む色信号を、近傍色信号として取得する近傍色信号取得手段及び、
前記近傍色信号のうち、前記基準要素値とは異なる１の前記要素値と等しい要素値を有する前記基準要素を含む少なくとも１以上の前記近傍色信号を抽出する第２の抽出手段として更に機能させると共に、
前記第２の抽出手段によって抽出された前記近傍色信号であって、前記対象色彩信号との色差が最小となる色彩信号に対応する前記近傍色信号を、１の前記対応色信号として取得するよう機能させることを特徴とする色変換プログラム。
【請求項１４】
請求項１３に記載の色変換プログラムにおいて、
前記近傍色信号取得手段を、前記１の対応色信号を構成する前記色要素であって、前記基準要素以外の前記他の色要素の要素値との差が前記所定閾値内となる要素値を有する前記色要素を含む色信号を、前記近傍色信号として取得するよう機能させ、
前記第２の抽出手段を、前記近傍色信号のうち、前記基準要素値及び前記１の要素値とは異なる他の前記要素値と等しい要素値を有する前記基準要素を含む前記近傍色信号を抽出するよう機能させ、かつ、
前記対応色信号取得手段を、当該第２の抽出手段によって抽出された前記近傍色信号であって、前記対象色彩信号との色差が最小となる色彩信号に対応する前記近傍色信号を、他の前記対応色信号として取得するよう機能させることを特徴とする色変換プログラム。
【請求項１５】
請求項１２乃至請求項１４のいずれか一項に記載の色変換プログラムにおいて、
前記色信号は、シアン、マゼンタ、イエロー、ブラックを前記色要素とするＣＭＹＫ色空間における座標値であることを特徴とする色変換プログラム。
【請求項１６】
請求項１５に記載の色変換プログラムにおいて、
前記基準要素は、ブラックであることを特徴とする色変換プログラム。
【請求項１７】
請求項１２乃至請求項１６のいずれか一項に記載の色変換プログラムにおいて、
前記色彩信号は、ＣＩＥＬａｂ空間における座標値であることを特徴とする色変換プログラム。
【請求項１８】
請求項１２乃至請求項１６のいずれか一項に記載の色変換プログラムにおいて、
前記色彩信号は、ＣＩＥＸＹＺ空間における座標値であることを特徴とする色変換プログラム。
【請求項１９】
請求項１２乃至請求項１６のいずれか一項に記載の色変換プログラムにおいて、
前記色彩信号は、ＲＧＢ空間における座標値であることを特徴とする色変換プログラム。
【請求項２０】
請求項１４乃至請求項１９のいずれか一項に記載の色変換プログラムにおいて、
前記１の要素値は、前記基準要素値に所定値を加算して取得され、且つ、前記他の要素値は、前記１の要素値に前記所定値を加算して取得されることを特徴とする色変換プログラム。
【請求項２１】
請求項１４乃至請求項１９のいずれか一項に記載の色変換プログラムにおいて、
前記１の要素値は、前記基準要素値から前記所定値を減算して取得され、且つ、前記他の要素値は、前記１の要素値から前記所定値を減算して取得されることを特徴とする色変換プログラム。
【請求項２２】
請求項１３乃至請求項２１のいずれか一項に記載の色変換プログラムにおいて、
前記コンピュータを、
前記色信号と、当該色信号を再現可能な前記色彩信号と、をそれぞれ対応付けて記憶する記憶手段として更に機能させ、
前記第１の抽出手段を、前記記憶手段に記憶された色信号から、前記基準要素値と等しい要素値を有する前記基準要素を含む少なくとも１以上の前記色信号を抽出するよう機能させ、
前記近傍色信号取得手段を、前記記憶手段に記憶された色信号から、前記近傍色信号を取得するよう機能させると共に、前記記憶手段に記憶された色信号に、前記他の色要素の要素値との差が所定閾値内となる前記要素値を有する前記色要素を含む前記色信号が無い場合には、前記所定閾値を変更し、前記他の色要素の要素値との差が変更後の所定閾値内となる前記要素値を有する前記色要素を含む前記色信号を、前記記憶手段に記憶された色信号から前記近傍色信号として取得するよう機能させることを特徴とする色変換プログラム。
【請求項２３】
請求項１２乃至請求項２２のいずれか一項に記載の色変換プログラムが、前記コンピュータで読み取り可能に記憶されていることを特徴とする記録媒体。
【請求項２４】
色彩信号を再現可能な色信号に変換するための色変換方法であって、前記色彩信号のうち、色変換の対象となる対象色彩信号から、当該対象色彩信号を再現可能な複数の対応色信号を取得する前記色変換方法において、
前記色信号を構成する複数の色要素に含まれる基準要素の所定の要素値を基準要素値として決定する工程と、
前記基準要素値と等しい要素値を有する前記基準要素を含む少なくとも１以上の前記色信号を抽出する第１の抽出工程と、
前記第１の抽出工程によって抽出された前記色信号を再現可能な前記色彩信号であって前記対象色彩信号との色差が最小となる前記色彩信号によって再現可能な前記色信号を、前記対応色信号に含まれる基準対応色信号として取得し、且つ、当該基準対応色信号に基づいて、残りの前記対応色信号を取得する取得工程と、
を有することを特徴とする色変換方法。
【請求項２５】
前記取得工程は、
前記基準対応色信号を構成する前記色要素であって、前記基準要素以外の他の前記色要素の要素値との差が所定閾値内となる要素値を有する前記他の色要素を含む色信号を、近傍色信号として取得する近傍色信号取得工程と、
前記近傍色信号のうち、前記基準要素値とは異なる１の前記要素値と等しい要素値を有する前記基準要素を含む少なくとも１以上の前記近傍色信号を抽出する第２の抽出工程と、を有すると共に、
当該取得工程において、前記第２の抽出工程によって抽出された前記近傍色信号であって、前記対象色彩信号との色差が最小となる色彩信号に対応する前記近傍色信号を、１の前記対応色信号として取得することを特徴とする請求項２４に記載の色変換方法。
【請求項２６】
前記近傍色信号取得工程において、前記１の対応色信号を構成する前記色要素であって、前記基準要素以外の前記他の色要素の要素値との差が前記所定閾値内となる要素値を有する前記色要素を含む色信号を、前記近傍色信号として取得し、
前記第２の抽出工程において、前記近傍色信号のうち、前記基準要素値及び前記１の要素値とは異なる他の前記要素値と等しい要素値を有する前記基準要素を含む前記近傍色信号を抽出するよう機能させ、かつ、
前記取得工程において、当該第２の抽出工程によって抽出された前記近傍色信号であって、前記対象色彩信号との色差が最小となる色彩信号に対応する前記近傍色信号を、他の前記対応色信号として取得することを特徴とする請求項２５に記載の色変換方法。
【発明の詳細な説明】
【技術分野】
【０００１】
本発明は、色彩信号を再現可能な色信号に変換するための色変換装置等の技術分野に関する。
【背景技術】
【０００２】
モニタ上に表示された画面をプリンタで印刷しようとする場合、プリンタで出力される色はモニタ上で表示されている色と異なる色空間で再現されるため、モニタ上に表示された画面における色と、プリンタで出力される色との一致を得る手法として、ルックアップテーブル（ＬＵＴ）による色変換が用いられる。この色変換は、デバイスに依存しない色空間（Ｌａｂ）を、プリンタ等の各種デバイスに依存するデバイス色空間（ＣＭＹＫ）にマッピングすることにより、色変換を行なうことができる。
【０００３】
しかし、プリンタで出力されるデバイス色信号は、ＣＭＹＫという四次元の色信号であるため、三次元の色彩信号Ｌａｂから、四次元の色信号ＣＭＹＫを求めようとすると、三次元の色彩信号Ｌａｂに対応する複数の色信号ＣＭＹＫが存在し、それらの中から最適な色信号ＣＭＹＫを取得する必要が生じる。特許文献１乃至特許文献５には、デバイス色空間（ＣＭＹＫ）における色信号と、デバイスに依存しない色空間（Ｌａｂ）における色彩信号と、に間の色変換手法についての技術が開示されている。
【特許文献１】特開２００３−１５８６３９号公報
【特許文献２】特開平８−７６３６３号公報
【特許文献３】特開平１１−３０８４６９号公報
【特許文献４】特開平７−２０９７７２号公報
【特許文献５】特開２００２−１５２５３１号公報
【発明の開示】
【発明が解決しようとする課題】
【０００４】
ところで、色信号ＣＭＹＫのうち、ブラックＫを固定し、当該ブラックＫが０のときに再現できる色信号Ｌａｂは所定の色信号Ｌａｂに限られている。ブラックＫが０であると、濃い色を再現することができないためである。他方、ブラックＫが２５５の場合にも、明るい色を再現できないために、再現可能な色信号Ｌａｂは限られている。従って、色信号Ｌａｂに対応する複数の色信号ＣＭＹＫを求める際には、最適なブラックＫを有する色信号ＣＭＹＫの組み合わせを取得する必要がある。
【０００５】
上記記載の特許文献１には、色彩信号Ｌａｂに対する色信号ＣＭＹＫの組み合わせを、ブラックＫをパラメータとして予め複数求め、それらの中から色差を比較して最良の色信号ＣＭＹＫを求める手法が開示されている。
【０００６】
しかしながら、この手法では、あらゆる色信号ＣＭＹＫの組み合わせの中から、三次元の色彩信号Ｌａｂに対応する複数の色信号ＣＭＹＫを検索するため、多大な時間を要することとなる。
【０００７】
そこで、本発明は上記課題に鑑みてなされたものであり、対象色彩信号に対応するより正確な複数のデバイス信号を、より迅速に取得することが可能な色変換装置等を提供することを目的する。
【課題を解決するための手段】
【０００８】
上記課題を解決するため、請求項１に記載の発明は、色彩信号を再現可能な色信号に変換するための色変換装置であって、前記色彩信号のうち、色変換の対象となる対象色彩信号から、当該対象色彩信号を再現可能な複数の対応色信号を取得する前記色変換装置において、前記色信号を構成する複数の色要素に含まれる基準要素の所定の要素値を基準要素値として決定する基準要素値決定手段と、前記基準要素値と等しい要素値を有する前記基準要素を含む少なくとも１以上の前記色信号を抽出する第１の抽出手段と、前記第１の抽出手段によって抽出された前記色信号を再現可能な前記色彩信号であって前記対象色彩信号との色差が最小となる前記色彩信号によって再現可能な前記色信号を、前記対応色信号に含まれる基準対応色信号として取得し、且つ、当該基準対応色信号に基づいて、残りの前記対応色信号を取得する対応色信号取得手段と、を有することを特徴とする。
【０００９】
これによれば、対象色彩信号に対応する複数の色信号を取得する際に、１つの基準要素の要素値を決定し、且つ、対象色彩信号と色差が最小となる色彩信号によって再現可能な１つの色信号を取得し、当該色信号に基づいて残りの色信号を取得するため、対象色彩信号に対応する色信号をより正確かつ迅速に取得することができる。
【００１０】
上記課題を解決するため、請求項２に記載の発明は、請求項１に記載の色変換装置において、前記対応色信号取得手段は、前記基準対応色信号を構成する前記色要素であって、前記基準要素以外の他の前記色要素の要素値との差が所定閾値内となる要素値を有する前記他の色要素を含む色信号を、近傍色信号として取得する近傍色信号取得手段と、前記近傍色信号のうち、前記基準要素値とは異なる１の前記要素値と等しい要素値を有する前記基準要素を含む少なくとも１以上の前記近傍色信号を抽出する第２の抽出手段と、を有し、前記第２の抽出手段によって抽出された前記近傍色信号であって、前記対象色彩信号との色差が最小となる色彩信号に対応する前記近傍色信号を、１の前記対応色信号として取得することを特徴とする。
【００１１】
これによれば、対象色彩信号に対応する対応色信号を取得する際に、全ての色信号とこれに対応する全ての色彩信号を参照することなく、既に取得した色信号に含まれる色要素の要素値との差が所定閾値内となる要素値を有する色要素を含む近傍色信号を取得して、当該近傍色信号だけを参照して対応色信号を取得することが可能になるため、検索対象範囲を大幅に狭くすることができ、迅速に対応色信号を取得することができる。
【００１２】
上記課題を解決するため、請求項３に記載の発明は、請求項２に記載の色変換装置において、前記近傍色信号取得手段は、前記１の対応色信号を構成する前記色要素であって、前記基準要素以外の前記他の色要素の要素値との差が前記所定閾値内となる要素値を有する前記色要素を含む色信号を、前記近傍色信号として取得し、前記第２の抽出手段は、前記近傍色信号のうち、前記基準要素値及び前記１の要素値とは異なる他の前記要素値と等しい要素値を有する前記基準要素を含む前記近傍色信号を抽出し、かつ、前記対応色信号取得手段は、当該第２の抽出手段によって抽出された前記近傍色信号であって、前記対象色彩信号との色差が最小となる色彩信号に対応する前記近傍色信号を、他の前記対応色信号として取得することを特徴とする。
【００１３】
これによれば、対象色彩信号に対応する対応色信号を取得する際に、全ての色信号とこれに対応する全ての色彩信号を参照することなく、既に取得した色信号に含まれる色要素の要素値との差が所定閾値内となる要素値を有する色要素を含む近傍色信号を取得して、当該近傍色信号だけを参照して対応色信号を取得することが可能になるため、検索対象範囲を大幅に狭くすることができ、迅速に対応色信号を取得することができる。
【００１４】
上記課題を解決するため、請求項４に記載の発明は、請求項１乃至請求項３のいずれか一項に記載の色変換装置において、前記色信号は、シアン、マゼンタ、イエロー、ブラックを前記色要素とするＣＭＹＫ色空間における座標値であることを特徴とする。
【００１５】
これによれば、対象色彩信号に対応する対応色信号ＣＭＹＫを取得する際に、全ての色信号ＣＭＹＫとこれに対応する全ての色彩信号を参照することなく、既に取得した色信号に含まれるＣＭＹの要素値との差が所定閾値内となる要素値を有するＣＭＹを含む近傍色信号ＣＭＹＫを取得して、当該近傍色信号ＣＭＹＫだけを参照して対応色信号ＣＭＹＫを取得することが可能になるため、検索対象範囲を大幅に狭くすることができ、迅速に対応色信号を取得することができる。
【００１６】
上記課題を解決するため、請求項５に記載の発明は、請求項４に記載の色変換装置において、前記基準要素は、ブラックであることを特徴とする。
【００１７】
これによれば、対象色彩信号に対応する複数の色信号ＣＭＹＫを取得する際に、ブラックの要素値を決定し、且つ、対象色彩信号と色差が最小となる色彩信号によって再現可能な１つの色信号ＣＭＹＫを取得し、当該色信号ＣＭＹＫに基づいて残りの色信号ＣＭＹＫを取得するため、対象色彩信号に対応する色信号ＣＭＹＫをより正確かつ迅速に取得することができる。
【００１８】
上記課題を解決するため、請求項６に記載の発明は、請求項１乃至請求項５のいずれか一項に記載の色変換装置において、前記色彩信号は、ＣＩＥＬａｂ空間における座標値であることを特徴とする。
【００１９】
これによれば、対象色彩信号Ｌａｂに対応する複数の色信号ＣＭＹＫを取得する際に、ブラックの要素値を決定し、且つ、対象色彩信号Ｌａｂと色差ΔＥが最小となる色彩信号Ｌａｂによって再現可能な１つの色信号ＣＭＹＫを取得し、当該色信号ＣＭＹＫに基づいて残りの色信号ＣＭＹＫを取得するため、対象色彩信号に対応する色信号ＣＭＹＫをより正確かつ迅速に取得することができる。
【００２０】
上記課題を解決するため、請求項７に記載の発明は、請求項１乃至請求項５のいずれか一項に記載の色変換装置において、前記色彩信号は、ＣＩＥＸＹＺ空間における座標値であることを特徴とする。
【００２１】
これによれば、対象色彩信号ＸＹＺに対応する複数の色信号ＣＭＹＫを取得する際に、ブラックの要素値を決定し、且つ、対象色彩信号ＸＹＺと色差ΔＥが最小となる色彩信号ＸＹＺによって再現可能な１つの色信号ＣＭＹＫを取得し、当該色信号ＣＭＹＫに基づいて残りの色信号ＣＭＹＫを取得するため、対象色彩信号に対応する色信号ＣＭＹＫをより正確かつ迅速に取得することができる。
【００２２】
上記課題を解決するため、請求項８に記載の発明は、請求項１乃至請求項５のいずれか一項に記載の色変換装置において、前記色彩信号は、ＲＧＢ空間における座標値であることを特徴とする。
【００２３】
これによれば、対象色彩信号ＲＧＢに対応する複数の色信号ＣＭＹＫを取得する際に、ブラックの要素値を決定し、且つ、対象色彩信号ＲＧＢと色差ΔＥが最小となる色彩信号ＲＧＢによって再現可能な１つの色信号ＣＭＹＫを取得し、当該色信号ＣＭＹＫに基づいて残りの色信号ＣＭＹＫを取得するため、対象色彩信号に対応する色信号ＣＭＹＫをより正確かつ迅速に取得することができる。
【００２４】
上記課題を解決するため、請求項９に記載の発明は、請求項３乃至請求項８のいずれか一項に記載の色変換装置において、前記１の要素値は、前記基準要素値に所定値を加算して取得され、且つ、前記他の要素値は、前記１の要素値に前記所定値を加算して取得されることを特徴とする。
【００２５】
これによれば、対象色彩信号に対応する対応色信号を取得する際に、全ての色信号とこれに対応する全ての色彩信号を参照することなく、既に取得した色信号に含まれる色要素の要素値との差が所定閾値内となる要素値を有する色要素を含む近傍色信号を取得して、当該近傍色信号だけを参照して対応色信号を順次取得することが可能になる。
【００２６】
上記課題を解決するため、請求項１０に記載の発明は、請求項３乃至請求項８のいずれか一項に記載の色変換装置において、前記１の要素値は、前記基準要素値から前記所定値を減算して取得され、且つ、前記他の要素値は、前記１の要素値から前記所定値を減算して取得されることを特徴とする。
【００２７】
これによれば、対象色彩信号に対応する対応色信号を取得する際に、全ての色信号とこれに対応する全ての色彩信号を参照することなく、既に取得した色信号に含まれる色要素の要素値との差が所定閾値内となる要素値を有する色要素を含む近傍色信号を取得して、当該近傍色信号だけを参照して対応色信号を順次取得することが可能になる。
【００２８】
上記課題を解決するため、請求項１１に記載の発明は、請求項２乃至請求項１０のいずれか一項に記載の色変換装置において、前記色信号と、当該色信号を再現可能な前記色彩信号と、をそれぞれ対応付けて記憶する記憶手段を有し、前記第１の抽出手段は、前記記憶手段に記憶された色信号から、前記基準要素値と等しい要素値を有する前記基準要素を含む少なくとも１以上の前記色信号を抽出し、前記近傍色信号取得手段は、前記記憶手段に記憶された色信号から、前記近傍色信号を取得すると共に、前記記憶手段に記憶された色信号に、前記他の色要素の要素値との差が所定閾値内となる前記要素値を有する前記色要素を含む前記色信号が無い場合には、前記所定閾値を変更し、前記他の色要素の要素値との差が変更後の所定閾値内となる前記要素値を有する前記色要素を含む前記色信号を、前記記憶手段に記憶された色信号から前記近傍色信号として取得することを特徴とする。
【００２９】
これによれば、記憶手段に記憶された色信号から、迅速に基準要素値と等しい要素値を有する基準要素を含む色信号を抽出することが可能になる。さらに、近傍色信号を迅速に取得することが可能になると共に、該当する色信号が記憶手段に記憶されていない場合であっても、所定閾値を変更することにより、確実に近傍色信号を取得することが可能になる。
【発明の効果】
【００３０】
本発明によれば、対象色彩信号に対応する複数のデバイス信号を取得する際に、１つの基準要素の要素値を決定し、且つ、対象色彩信号と色差が最小となる色彩信号によって再現可能な１つの色信号を取得し、当該色信号に基づいて残りの色信号を取得するため、対象色彩信号に対応する色信号をより正確かつ迅速に取得することが可能になる。
【発明を実施するための最良の形態】
【００３１】
以下、本発明の好適な実施の形態を添付図面に基づいて説明する。本実施形態は、色変換の対象となる対象色彩信号Ｄｃに対応する複数のデバイス信号Ｄｄを求める際に、特定の色彩信号Ｄｃを再現する１のデバイス信号Ｄｄを構成する色要素（ＣＭＹＫ）に含まれるブラックＫの値がわずかに異なるブラックＫを有する他のデバイス信号Ｄｄでは、その他の色要素であるＣＭＹの値も大きく異なることはないというデバイス信号の性質に着目し、ブラックＫの値を順次決定し、これに基づいてデバイス信号Ｄｄを順次求める手法について本発明を適用した例を示す。
【００３２】
［色変換装置の構成及び機能］
先ず、図１乃至図５を参照して、本実施形態にかかる色変換装置の構成及び機能を説明する。
【００３３】
図１は、本実施形態にかかる色変換装置の概要構成例を示すブロック図であり、図２は、本実施形態における色変換の概念的説明図である。
【００３４】
図１に示すように、色変換装置は、記憶部１１、表示部１２、コンピュータとしての演算制御部１３、バス１４を備えて構成されている。
【００３５】
記憶部１１は、本発明の記憶手段として機能し、色信号としてのデバイス信号Ｄｄと、当該デバイス信号Ｄｄを再現可能な色彩信号Ｄｃとを夫々対応付けて記憶している。より具体的には、色変換の対象となる印刷機Ｐのデバイス信号Ｄｄ（デバイス固有のＣＭＹＫ色空間における座標値）を、色彩信号Ｄｃ（デバイスに依存しない色空間における座標値）に変換する色変換テーブルＴＡを記憶している。
【００３６】
図２に各色空間の概念説明図を示す。なお、このデバイス信号Ｄｄは、Ｃ（シアン：0≦Ｃ≦２５５）、Ｍ（マゼンタ：0≦Ｍ≦２５５）、Ｙ（イエロー：0≦Ｙ≦２５５）、Ｋ（ブラック：0≦Ｋ≦２５５）の各色の組み合わせにより構成され、このデバイス信号Ｄｄは、特定の色彩信号Ｄｃを再現する１のデバイス信号Ｄｄを構成する色要素（ＣＭＹＫ）に含まれるブラックＫの値がわずかに異なるブラックＫを有する他のデバイス信号Ｄｄは、図３に示す如く、その他の色要素であるＣＭＹも大きく異なることはないという性質を有する。
【００３７】
また、デバイスに依存しない色空間として、国際照明委員会（ＣＩＥ）が定めた１９７６ＣＩＥＬａｂ空間が用いられる。また、この色変換テーブルＴＡは、ＩＳＯ（International Organization for Standardization：国際標準化機構）１２６４２で規格化されているＩＴ８．７／３などのＣＭＹＫで構成されるカラーチャートを、色変換の対象となる印刷機Ｐにて出力（印刷）し、そのカラーチャートを分光測色機器等にて測定して、カラーチャートを構成するそれぞれのデバイス信号Ｄｄに対応する色彩信号Ｄｃを取得して作成される。
【００３８】
なお、Ｃ、Ｍ、Ｙ、Ｋは、上述したようにそれぞれ０から２５５までのいずれかの値を有するため、これらの全ての組み合わせを分光測色機器等にて測定することは困難かつ煩雑であるため、実際には、例えば、図４に示す如くＣ（シアン）、Ｍ（マゼンタ）、Ｙ（イエロー）、Ｋ（ブラック）の各色６ステップ（０、５１、１０２、１５３、２０４、２５５）、合計１２９６個のデバイス信号Ｄｄに対応する（すなわち、これらデバイス信号Ｄｄを再現可能な）色彩信号Ｄｃが取得される。この場合には、取得されている各ＣＭＹＫの値を補完演算して、所望の数だけデバイス信号Ｄｄと、当該デバイス信号Ｄｄに対応する色彩信号Ｄｃを取得すればよい。デバイス信号Ｄｄと色彩信号Ｄｃの組み合わせの数が多いほど、後に詳述する色変換テーブル作成処理において作成される色変換テーブルの精度が向上する。
【００３９】
このようにして得られた色変換テーブルＴＡの一例を図５に示す。同図の例によれば、ｍ個のデバイス信号Ｄｄと、当該デバイス信号Ｄｄを再現可能な色彩信号Ｄｃと、が夫々対応付けて記憶されている。
【００４０】
表示部１２は、後に詳述する色変換テーブル作成処理にて作成した色変換テーブルＴＢが有する色彩信号Ｄｃのうち、ユーザが図示しないマウス等で構成された操作入力部を操作することにより、表示を所望する色彩信号Ｄｃを選択すると、選択された色彩信号Ｄｃに基づく色彩を表示する。また、演算制御部１３からの各種処理信号に基づいて、処理信号によって指示された表示を行なう。
【００４１】
演算制御部１３は、図示しないＣＰＵ（Central Processing Unit）、作業用ＲＡＭ（Random Access Memory）、本発明の色変換プログラム等を含む各種制御プログラムやデータ等を記憶するＲＯＭ（Read Only Memory）及び発振回路等を備えて構成されており、図示しない操作部からの操作信号に基づいて、当該操作信号に含まれている操作情報に対応する動作を実現すべく上記各構成部材を制御するための制御情報を生成し、バス１４を介して当該制御情報を該当する構成部材に出力して当該各構成部材の動作を統轄制御する。また、演算制御部１３は、ＲＯＭ等に記憶されたプログラムを実行することにより、本発明の基準要素値決定手段、第１の抽出手段、対応色信号取得手段手段、近傍色信号取得手段、第２の抽出手段として機能するようになっている。
【００４２】
まず、演算制御部１３は、基準要素値決定手段として機能し、前記デバイス色信号Ｄｄを構成する色要素（Ｃ，Ｍ，Ｙ，Ｋ）のうち、１の色要素を基準要素として決定する。本実施形態においては、ブラックＫを基準要素として決定する。そして、当該ブラックＫの所定の値（Ｋ（１））を基準要素値として決定する。
【００４３】
また、演算制御部１３は、第１の抽出手段として機能し、基準要素決定手段にて決定したブラックＫの値（Ｋ（１））と等しい値を有するブラックＫを含むデバイス信号Ｄｄを、記憶部１１に記憶した色変換テーブルＴＡを参照して全て抽出する。
【００４４】
そして、演算制御部１３は、対応色信号取得手段、近傍色信号取得手段及び第２の抽出手段として機能し、第１の抽出手段によって抽出されたデバイス信号Ｄｄのうち、当該デバイス信号Ｄｄを再現可能な色彩信号Ｄｃであって、色変換の対象となる対象色彩信号Ｄｃとの色差が最小となる前記色彩信号Ｄｃを求め、当該色彩信号Ｄｃによって再現可能なデバイス信号Ｄｄを、基準対応色信号としてのデバイス信号Ｄｄ（１）（Ｃ（１）、Ｍ（１）、Ｙ（１）、Ｋ（１））として取得する。
【００４５】
より具体的には、第１の抽出手段によって抽出された基準要素値（Ｋ（１））と等しい値を有するブラックＫを含む複数のデバイス信号Ｄｄのうち、記憶部１１に記憶した色変換テーブルＴＡを参照して、色変換の対象となる対象色彩信号Ｄｃとの色差が最小となる色彩信号Ｄｃに対応するデバイス信号Ｄｄを、デバイス信号Ｄｄ（１）（Ｃ（１）、Ｍ（１）、Ｙ（１）、Ｋ（１））として取得する。
【００４６】
また、取得した基準対応色信号としてのデバイス信号Ｄｄ（１）を構成する色要素のうち、基準要素であるブラックＫ以外のＣ（１）、Ｍ（１）、Ｙ（１）の値との差が所定閾値内となる値を有するＣｒ，Ｙｒ，Ｍｒを含むデバイス信号Ｄｄを近傍色信号としての近傍デバイス信号Ｄｒとして取得する。そして、取得した複数の近傍デバイス信号Ｄｒのうち、記憶部１１に記憶した色変換テーブルＴＡを参照して、色変換の対象となる対象色彩信号Ｄｃとの色差ΔＥ＊ａｂが最小となる色彩信号Ｄｃに対応するデバイス信号Ｄｄを、１の対応色信号としてのデバイス信号Ｄｄとして取得する。
【００４７】
さらに、このようにして取得した１の対応色信号としてのデバイス信号Ｄｄを構成する色要素のうち、基準要素であるブラックＫ以外のＣ、Ｍ、Ｙの値との差が所定閾値内となる値を有するＣｒ，Ｙｒ，Ｍｒを含むデバイス信号Ｄｄを近傍色信号としての近傍デバイス信号Ｄｒとして取得する。そして、取得した複数の近傍デバイス信号Ｄｒのうち、記憶部１１に記憶した色変換テーブルＴＡを参照して、色変換の対象となる対象色彩信号Ｄｃとの色差ΔＥ＊ａｂが最小となる色彩信号Ｄｃに対応するデバイス信号Ｄｄを、他の対応色信号としてのデバイス信号Ｄｄ（ｎ）として順次取得する。このようにして、変換の対象となる対象色彩信号Ｄｃに対応するＮ個のデバイス信号Ｄｄ（ｎ）（ｎ：１≦ｎ≦Ｎ）を順次取得する。なお、演算制御部１３における更なる具体的処理は次の色変換テーブル作成処理の説明において詳細に述べる。
【００４８】
［色変換テーブル作成処理］
続いて、図１乃至図６を参照して色変換テーブル作成処理の具体的手法について説明する。ここでは、記憶部１１に記憶されたデバイス信号Ｄｄを色彩信号Ｄｃに変換する（ＣＭＹＫ→Ｌ*ａ*ｂ*）色変換テーブルＴＡを参照して、色彩信号Ｄｃ（Ｌ１*ａ１*ｂ１*、Ｌ２*ａ２*ｂ２*、Ｌ３*ａ３*ｂ３*、…、Ｌe*ａe*ｂe*）をデバイス信号Ｄｄに変換する（Ｌ*ａ*ｂ*→ＣＭＹＫ）色変換テーブルＴＢを作成する手法について述べる。
【００４９】
図６は、色変換装置１の演算制御部１３おける色変換テーブル作成処理を示すフローチャートであり、当該フローチャートにより示される処理は、演算制御部１３内の図示しないＲＯＭ等に予め記憶されている色変換プログラムに基づいて当該演算制御部１３の制御に基づいて実行されるものである。
【００５０】
先ず、演算制御部１３は、色彩信号Ｄｃ（Ｌ１*ａ１*ｂ１*、Ｌ２*ａ２*ｂ２*、Ｌ３*ａ３*ｂ３*、…、Ｌe*ａe*ｂe*）のうち、色変換の対象となる対象色彩信号Ｄｃに対応する複数の対応色信号としてのデバイス信号Ｄｄを以下に述べるループ処理に基づいて順次取得する（ステップＳ１）。本実施形態においては、色変換の対象となる対象色彩信号Ｄｃは、色彩信号Ｄｃ（Ｌ１*ａ１*ｂ１*）、色彩信号Ｄｃ（Ｌ２*ａ２*ｂ２*）、色彩信号Ｄｃ（Ｌ３*ａ３*ｂ３*）、…、色彩信号Ｄｃ（Ｌe*ａe*ｂe*）と順に取得していくものとして説明する。なお、処理の説明において、夫々の対象色彩信号Ｄｃ（Ｌ１*ａ１*ｂ１*）、（Ｌ２*ａ２*ｂ２*）、（Ｌ３*ａ３*ｂ３*）、…、（Ｌe*ａe*ｂe*）を総称して対象色彩信号Ｄｃということがある。
【００５１】
始めに、ブラックＫの所定の値（基準要素値）をＫ（１）として決定する（ステップＳ２）。
【００５２】
次に、記憶部１１に記憶した色変換テーブルＴＡを参照して、ブラックＫの値がＫ（１）と等しく、且つ、対象色彩信号Ｄｃと色差ΔＥ＊ａｂが最小となる色彩信号Ｄｃに対応するデバイス信号Ｄｄをデバイス信号Ｄｄ（１）として取得する（ステップＳ３）。図４に示す色変換テーブルＴＡを用いて具体的に説明すると、先ず、ブラックＫ１乃至Ｋｍのうち、ステップＳ２で定めたＫ（１）と等しい値を有するブラックＫを含むデバイス信号Ｄｄが全て選択され、このうち、対象色彩信号Ｄｃとの色差ΔＥ＊ａｂが最小となる色彩信号Ｄｃと対応付けられているデバイス信号Ｄｄが基準対応色信号としてのデバイス信号Ｄｄ（１）（Ｃ（１）、Ｍ（１）、Ｙ（１）、Ｋ（１））として取得される。このようにして取得されたデバイス信号Ｄｄ（１）は、対象色彩信号Ｄｃと対応付けて演算制御部１３に備えた図示しないＲＡＭ等に記憶されるよう構成する。
【００５３】
続いて、変数ｎを２（ステップＳ４）、ブラックＫの値をＫ（ｎ）として決定する（ステップＳ５）。
【００５４】
次に、記憶部１１に記憶した色変換テーブルＴＡを参照して、これまでの処理において既に取得されているデバイス信号Ｄｄ（ｎ−１）に含まれるＣ（ｎ−１）、Ｍ（ｎ−１）、Ｙ（ｎ−１）の値との差が所定閾値内である値を有するＣｒ，Ｍｒ，Ｙｒを含むデバイス信号Ｄｄを近傍デバイス信号Ｄｒとして取得する（ステップＳ６）。
【００５５】
ここで、Ｃ（ｎ−１）、Ｍ（ｎ−１）、Ｙ（ｎ−１）の値との差が所定閾値内にある値を有するＣｒ，Ｍｒ，Ｙｒを含むデバイス信号Ｄｄとは、Ｃ（ｎ−１）、Ｍ（ｎ−１）、Ｙ（ｎ−１）が有する値（要素値）に夫々１を加算或いは減算して得られる値以内（所定閾値内）の値を有するＣｒ，Ｍｒ，Ｙｒを含むデバイス信号Ｄｄをいう。すなわち、Ｃｒ，Ｍｒ，Ｙｒは次の式１により求められる。
【００５６】
【数１】
2006109156.tif 000003
そして、上記式１を満たすＣｒ、Ｍｒ、Ｙｒを含むデバイス信号Ｄｄが、近傍デバイス信号Ｄｒとして取得されることになる。なお、近傍デバイス信号Ｄｒを記憶部１１に記憶した色変換テーブルＴＡから取得する際、各近傍デバイス信号Ｄｒに対応する色彩信号Ｄｃと共に取得する。
【００５７】
そして、このようにして取得された近傍デバイス信号Ｄｒのうち、当該近傍デバイス信号Ｄｒに含まれるブラックＫの値がＫ（ｎ）となる近傍デバイス信号Ｄｒが抽出される（ステップＳ７）。
【００５８】
続いて、ステップＳ７で抽出された近傍デバイス信号Ｄｒのうち、ステップＳ６にて、当該近傍デバイス信号Ｄｒと共に取得された近傍デバイス信号Ｄｒに対応する色彩信号Ｄｃが、対象色彩信号Ｄｃと色差ΔＥ＊ａｂが最小となる近傍デバイス信号Ｄｒが、対象色彩信号Ｄｃと対応するデバイス信号Ｄｄ（ｎ）として取得される（ステップＳ８）。
【００５９】
つまり、記憶部１１に記憶した色変換テーブルＴＡの全てのデバイス信号Ｄｄ（色彩信号Ｄｃによって再現可能な全てのデバイス信号Ｄｄ）を参照することなく、色変換テーブルＴＡのデバイス信号Ｄｄのうち、既に取得されているデバイス信号Ｄｄ（ｎ−１）に含まれるＣ（ｎ−１）、Ｍ（ｎ−１）、Ｙ（ｎ−１）の値との差が所定閾値内となる値を有するＣｒ、Ｍｒ、Ｙｒを含む近傍デバイス信号Ｄｒを取得しておいて、これら取得した近傍デバイス信号Ｄｒについて、Ｋ（ｎ）と同じ値となるブラックＫを含む近傍デバイス信号Ｄｒが全て抽出され、このうち、対象色彩信号Ｄｃとの色差ΔＥ＊ａｂが最小となる色彩信号Ｄｃと対応付けられている近傍デバイス信号Ｄｒがデバイス信号Ｄｄ（ｎ）（Ｃ（ｎ）、Ｍ（ｎ）、Ｙ（ｎ）、Ｋ（ｎ））として取得される。このようにして取得された対応デバイス信号Ｄｄ（ｎ）は、対象色彩信号Ｄｃと対応付けて演算制御部１３に備えた図示しないＲＡＭ等に記憶される。
【００６０】
続いて、ｎがＮと等しいか否かを判定し（ステップＳ９）、ｎがＮと等しいと判定されなかった場合には（ステップＳ９：Ｎｏ）、ｎに１を加算して（ステップＳ１０）、ステップＳ５の処理に移行する。こうして、ステップＳ９の処理においてｎがＮと等しいと判定されるまで、すなわち対象色彩信号Ｄｃに対応する全て（Ｎ個）のデバイス信号を取得するまでステップＳ５乃至ステップＳ９の処理を繰り返し行なう。
【００６１】
他方、ステップＳ９の処理において、ｎがＮと等しいと判定された場合には（ステップＳ９：Ｙｅｓ）、ステップＳ１１に移行する。そして対象色彩信号Ｄｃが、最後の対象色彩信号Ｄｃ（Ｌe＊ａe＊ｂe＊）に対応するＮ個のデバイス信号Ｄｄを取得するまでステップＳ２乃至ステップＳ１０の処理を繰り返し行なった後に、ステップＳ１２に移行する。
【００６２】
そして、ステップＳ１２の処理において、ステップＳ３及びステップＳ８の処理において演算制御部１３に備えたＲＡＭ等に記憶した各対象色彩信号Ｄｃと、各対象色彩信号Ｄｃに対応する対応デバイス信号Ｄｄ（ｎ）（Ｃ（ｎ）、Ｍ（ｎ）、Ｙ（ｎ）、Ｋ（ｎ））に基づいて、図７に示す如く色彩信号Ｄｃをデバイス信号Ｄｄに変換する色変換テーブルＴＢを作成して（ステップＳ１２）、処理を終了する。
【００６３】
以上説明したように、本実施形態において、各対象色彩信号Ｄｃに対応する複数のデバイス信号Ｄｄを取得する際に、基準要素となるブラックＫの値（基準要素値）（Ｋ（１））を決定し、色変換テーブルＴＡを参照して当該値と等しい値を有するブラックＫを含むデバイス信号Ｄｄのうち、対象色彩信号Ｄｃとの色差ΔＥ＊ａｂが最小となる色彩信号Ｄｃと対応付けられているデバイス信号Ｄｄを取得する。そして、最初の値（基準要素値）とは異なる別の値を有するブラックＫを含むデバイス信号Ｄｄを、既に取得したデバイス信号Ｄｄに含まれるＣＭＹの値との差が所定閾値内となる値を有するＣｒ，Ｍｒ，Ｙｒを含む近傍デバイス信号Ｄｒの中から、対象色彩信号Ｄｃと対応するデバイス信号Ｄｄ（ｎ）（Ｃ（ｎ）、Ｍ（ｎ）、Ｙ（ｎ）、Ｋ（ｎ））として取得するよう構成した。
【００６４】
これにより、特定の色彩信号Ｄｃ（対象色彩信号Ｄｃ）を再現する１のデバイス信号Ｄｄを構成する色要素（ＣＭＹＫ）に含まれるブラックＫの値がわずかに異なるブラックＫを有する他のデバイス信号Ｄｄは、その他の色要素であるＣＭＹも大きく異なることはないというデバイス信号の性質に着目し、対象色彩信号Ｄｃに対応するＮ個のデバイス信号Ｄｄを取得する際に、ブラックＫの値を決定し、且つ、対象色彩信号Ｄｃと色差ΔＥ＊ａｂが最小となる色彩信号Ｄｃによって再現可能な（色変換テーブルＴＡにおいて対応付けられている）１つのデバイス信号Ｄｄ（基準対応色信号）を取得し、当該デバイス信号Ｄｄに基づいて残りのデバイス信号Ｄｄを取得するため、正確なデバイス信号Ｄｄを取得することができ、より精度の高い色変換テーブルＴＢを作成することができる。
【００６５】
また、対象色彩信号Ｄｃに対応するＮ個のデバイス信号Ｄｄを取得する際に、色変換テーブルＴＡに含まれる全てのデバイス信号Ｄｄとこれに対応する全ての色彩信号Ｄｃを参照することなく、既に取得したデバイス信号Ｄｄに含まれるＣＭＹの値との差が所定閾値内となる値を有するＣｒ，Ｍｒ，Ｙｒを含む近傍デバイス信号Ｄｒを取得して、当該近傍デバイス信号Ｄｒだけを参照して対応デバイス信号Ｄｄを取得することが可能になるため、検索対象範囲を大幅に狭くすることができ、迅速にデバイス信号Ｄｄを取得することができ、色変換テーブルＴＢをより迅速に作成することができる。
【００６６】
なお、上述した色変換テーブル作成処理におけるステップＳ６において、取得済みのデバイス信号Ｄｄ（ｎ−１）に含まれるＣ（ｎ−１）、Ｍ（ｎ−１）、Ｙ（ｎ−１）が有する値（要素値）に夫々１を加算或いは減算して得られる値以内を所定閾値内とし、これに含まれる値を有するＣｒ，Ｍｒ，Ｙｒを含むデバイス信号Ｄｄを近傍デバイス信号Ｄｒとして取得したが、このようなデバイス信号Ｄｄが記憶部１１に記憶した色変換テーブルＴＡに、該当するデバイス信号Ｄｄが無い場合には、所定閾値を拡大して（変更して）、該当するデバイス信号Ｄｄが所定個数取得されるよう構成すればよい。
【００６７】
さらには、本実施形態において、記憶部１１にデバイス信号Ｄｄと、当該デバイス信号Ｄｄを再現可能な色彩信号Ｄｃとを対応付けて記憶させたが、これに限らず、色変換の対象となるプリンタなどの各種デバイスのデバイス信号Ｄｄと、当該デバイス信号Ｄｄを再現可能な色彩信号Ｄｃの組み合わせが把握できれば、色変換装置１内に設けずとも、外部機器として接続された記憶手段に記憶させておいても良いし、遠隔にあるサーバ等に記憶させておき、これを逐次読み出して検索を行なっても良い。
【００６８】
また、上述した色変換テーブル作成処理におけるステップＳ１０において、ｎに１を加算することにより、ステップＳ５にて取得されるブラックＫの値を順次加算して変化させているが、これに限らず、ブラックＫの値を所定値づつ順次減算して対象色彩信号Ｄｃに対応するＮ個のデバイス信号Ｄｄを求めても良い。この場合には、ステップＳ２においてはブラックＫの値がＫ（Ｎ）として取得され、ステップＳ４においてはブラックＫの値がＫ（Ｎ−１）として取得されるよう構成する。すなわち、図７に示す色変換テーブルＴＢを参照して説明すると、対象色彩信号Ｄｃ（Ｌ１*ａ１*ｂ１*）に対応するデバイス信号Ｄｄの取得ループ処理（ステップＳ１乃至ステップＳ１１）において、デバイス信号Ｄｄ（Ｎ）（Ｃ１（Ｎ）、Ｍ１（Ｎ）、Ｙ１（Ｎ）、Ｋ１（Ｎ））がステップＳ３にて取得され、続いてステップＳ８の処理においてデバイス信号Ｄｄ（Ｎ−１）（Ｃ１（Ｎ−１）、Ｍ１（Ｎ−１）、Ｙ１（Ｎ−１）、Ｋ１（Ｎ−１））、デバイス信号Ｄｄ（Ｎ−２）（Ｃ１（Ｎ−２）、Ｍ１（Ｎ−２）、Ｙ１（Ｎ−２）、Ｋ１（Ｎ−２））、・・・、デバイス信号Ｄｄ（２）（Ｃ１（２）、Ｍ１（２）、Ｙ１（２）、Ｋ１（２））、デバイス信号Ｄｄ（１）（Ｃ１（１）、Ｍ１（１）、Ｙ１（１）、Ｋ１（１））が順次取得されるよう構成することも可能である。
【００６９】
なお、上記実施形態においては、基準要素をブラックＫとしたが、ブラックＫに限らず、図８に示す如く、Ｃ、Ｍ、Ｙ、Ｋの何れかの色要素がわずかに異なるデバイス信号Ｄｄでは、その他の色要素も大きく異なることはないため、Ｃ、Ｍ、Ｙ、Ｋの何れを基準要素として用いてもよい。
【００７０】
また、上記実施形態においては、色彩信号として、国際照明委員会（ＣＩＥ）が定めた１９７６ＣＩＥＬａｂ空間における座標値を用いたが、これに限らず、他の色空間における座標値、例えばＣＩＥＸＹＺ空間における座標値や、ＲＧＢ空間における座標値であってもよい。
【図面の簡単な説明】
【００７１】
【図１】本実施形態にかかる色変換装置の概要構成例を示すブロック図である。
【図２】各色空間の概念説明図である。
【図３】特定の色彩信号Ｄｃを再現するデバイス信号ＤｄのブラックＫの値と、ＣＭＹの値の対応グラフである。
【図４】カラーチャートを測定して取得した、デバイス信号Ｄｄと色彩信号Ｄｃとの対応テーブルの一例を示す図である。
【図５】記憶部１３に記憶された色変換テーブルＴＡを示す図である。
【図６】色変換装置１の演算制御部１３おける色変換テーブル作成処理を示すフローチャートである。
【図７】色変換テーブル作成処理によって作成された色変換テーブルＴＢを示す図である。
【図８】（Ａ）特定の色彩信号Ｄｃを再現するデバイス信号ＤｄのシアンＣの値と、ＭＹＫの値の対応グラフである。（Ｂ）特定の色彩信号Ｄｃを再現するデバイス信号ＤｄのマゼンタＭの値と、ＣＹＫの値の対応グラフである。（Ｂ）特定の色彩信号Ｄｃを再現するデバイス信号ＤｄのイエローＹの値と、ＣＭＫの値の対応グラフである。
【符号の説明】
【００７２】
１  色変換装置              
１１  記憶部
１２  表示部
１３  演算制御部
１４  バス
ＴＡ、ＴＢ  色変換テーブル
Ｄｄ  デバイス信号
Ｄｃ  色彩信号
Ｄｒ  近傍デバイス信号
【図１】
2006109156.tif 000004
【図２】
2006109156.tif 000005
【図３】
2006109156.tif 000006
【図４】
2006109156.tif 000007
【図５】
2006109156.tif 000008
【図６】
2006109156.tif 000009
【図７】
2006109156.tif 000010
【図８】
2006109156.tif 000011